(57)【特許請求の範囲】
【請求項１】
複数のレールに沿って複数の移動棚が互いに移動可能に配置され、隣接する移動棚が相対的に移動することによって、それらの間に所定幅の通路が形成される手動式移動棚装置であって、移動棚の下端で各レールに対応した位置に、駆動輪と単又は複数の従動輪を設け、該駆動輪の回転軸の前端部に保持部が円筒形の歯車ホルダーを固定するとともに、該歯車ホルダーの保持部にリング状の内歯歯車を取付ける一方、手動にて回転させる動力軸の後端部に前記内歯歯車に噛合する外歯歯車を形成し、動力軸を回転駆動して当該移動棚を移動可能としてなることを特徴とする手動式移動棚装置。
【請求項２】
前記動力軸の前端部に大径のスプロケットを固定するとともに、移動棚の前面パネルの中段に設けた操作ハンドルの駆動軸に小径のスプロケットを固定し、前記両スプロケットにチェーンを巻回してなる請求項１記載の手動式移動棚装置。
【請求項３】
前記移動棚の下端で各レールに対応した位置に、移動方向において中央部に１個の駆動輪を設けるとともに、該駆動輪の前後に該駆動輪よりも小さい直径を有する２個の従動輪を設けてなる請求項１又は２記載の手動式移動棚装置。
【請求項４】
前記移動棚の収納部における奥行幅を、ビデオテープ、ＣＤ及びＭＤ等の小奥行幅物品を収納するのに適した小幅としてなる請求項１〜３何れかに記載の手動式移動棚装置。
【発明の詳細な説明】
【０００１】
【発明の属する技術分野】
本発明は、複数の移動棚が互いに移動可能に配置された手動式移動棚装置に係わり、更に詳しくはビデオテープ、ＣＤ及びＭＤ等の小奥行幅物品を収納するのに適した手動式移動棚装置に関する。
【０００２】
【従来の技術】
従来から手動又は電動モータによって回転駆動される車輪を有する複数台の移動棚を、それらの出入面に対して直交する方向に敷設したレールに沿って移動可能に配置し、移動棚の移動でそれらの間に所定幅の通路が形成される手動式移動棚装置は各種提供されている。そして、各移動棚の正面に設けた操作ハンドル又は前面パネルのスイッチを使用者が操作し、操作ハンドルの回転力又は電動モータから駆動伝達系を介して車輪を回転駆動して所定の移動棚間又は側端部に配置した固定棚と移動棚間に通路を形成し、その通路内に使用者が入って該通路に面した出入面から書籍やファイル等の物品を出し入れするのである。
【０００３】
通常、壁面側に固定した端部に位置する固定棚を除き、各移動棚は、物品を前後面から出し入れできるように両面収納タイプの構造とし、また書籍やファイル等の比較的大きな物品を収納できるようにその奥行幅が設定されている。そのため、移動棚の移動方向の奥行幅は十分に広いので、各レールに沿って下端の前後にそれぞれ車輪を２個設け、その内の一方の車輪を駆動輪とし、他方の車輪を従動輪としている。そして、手動式の場合、実公昭５６−１２２４号公報にて開示されているように、駆動輪の回転軸に大径のスプロケットを固定するとともに、手動にて回転させる動力軸に小径のスプロケットを固定し、この両スプロケットにチェーンを巻回し、更に動力軸の前端部に大径のスプロケットを固定するとともに、移動棚の前面パネル中段に設けた操作ハンドルの駆動軸に小径のスプロケットを固定し、この両スプロケットにチェーンを巻回し、操作ハンドルを回転させることにより、該回転と同方向に駆動輪を回転させて移動させる構造となっている。
【０００４】
しかし、ビデオテープ、ＣＤ及びＭＤ等の小奥行幅物品を収納するのに適した移動棚では、移動方向の奥行幅が標準タイプの移動棚の奥行幅の半分程度しかないので、駆動輪の回転軸の前端部に設ける大径のスプロケットと、動力軸の後端部に設ける小径のスプロケットを左右に並べて設けることがスペース的に困難となる。また、両スプロケットを上下に並設すると、左右のスペースは小さくて済むが、上下のスペースが大きくなって収納スペースを大幅に狭めることになる。ここで、前記回転軸と動力軸とにそれぞれ固定した大小の平歯車を噛合させて連動させることも考慮されるが、動力軸の回転に対して回転軸が逆回転するので操作性が非常に悪くなるので採用できない。
【０００５】
【発明が解決しようとする課題】
そこで、本発明が前述の状況に鑑み、解決しようとするところは、手動にて回転させる動力軸の回転力を駆動輪の回転軸に伝達する減速連動機構として、動力軸と回転軸との軸間距離を最小にでき、しかも両軸を同一回転方向に回転させることが可能な機構とし、特にＣＤ及びＭＤ等の小奥行幅物品を収納するのに適した奥行幅の小さい移動棚に効果的である手動式移動棚装置を提供する。
【０００６】
【課題を解決するための手段】
本発明は、前述の課題解決のために、複数のレールに沿って複数の移動棚が互いに移動可能に配置され、隣接する移動棚が相対的に移動することによって、それらの間に所定幅の通路が形成される手動式移動棚装置であって、移動棚の下端で各レールに対応した位置に、駆動輪と単又は複数の従動輪を設け、該駆動輪の回転軸の前端部に保持部が円筒形の歯車ホルダーを固定するとともに、該歯車ホルダーの保持部にリング状の内歯歯車を取付ける一方、手動にて回転させる動力軸の後端部に前記内歯歯車に噛合する外歯歯車を形成し、動力軸を回転駆動して当該移動棚を移動可能としてなる手動式移動棚装置を構成した。
【０００７】
ここで、前記動力軸の前端部に大径のスプロケットを固定するとともに、移動棚の前面パネルの中段に設けた操作ハンドルの駆動軸に小径のスプロケットを固定し、前記両スプロケットにチェーンを巻回し、操作ハンドルの回転力を増幅して動力軸に伝達している。
【０００８】
また、前記移動棚の下端で各レールに対応した位置に、移動方向において中央部に１個の駆動輪を設けるとともに、該駆動輪の前後に該駆動輪よりも小さい直径を有する２個の従動輪を設けている。
【０００９】
そして、前記移動棚の収納部における奥行幅を、ビデオテープ、ＣＤ及びＭＤ等の小奥行幅物品を収納するのに適した小幅としたのである。このような小幅収納棚に前述の減速連動機構を適用すれば効果は顕著になる。
【００１０】
【発明の実施の形態】
次に本発明の実施形態を添付図面に基づき更に詳細に説明する。図１〜図４は本発明に係る手動式移動棚装置の全体概略を示し、図５〜図７は本発明の要部を示し、図中符号Ａは小幅移動棚、Ｂは標準幅移動棚、Ｃは固定棚、１は台車、２は収納部、３はレール、４は駆動輪、５は従動輪、６は通路をそれぞれ示している。
【００１１】
本実施形態の手動式移動棚装置は、台車１に手動によって回転駆動される駆動輪４とその前後に前記駆動輪４よりも直径の小さい従動輪５，５を有する２台の小幅移動棚Ａ，Ａと、２台の標準幅移動棚Ｂ，Ｂとを、それらの収納部２の出入面２Ａに対して直交する方向に床面に敷設された複数のレール３，…に沿って互いに移動可能に配置され、更に両端に固定棚Ｃ，Ｃを設置した構造のものを例示した。そして、隣接する移動棚Ａ，Ａ，Ｂ，Ｂが相対的に移動することによって、それらの間に所定幅の通路６が形成され、該通路６内に作業者が入って出入面２Ａからビデオテープ、ＣＤ及びＭＤ等の小奥行幅物品あるいは書籍やファイル等の物品を出し入れすることができるのである。
【００１２】
前記各移動棚Ａ，Ｂは、前面に配した前面パネル７の中段に設けた操作ハンドル８を回転させて、減速連動機構を介してその回転力を増幅しながら駆動輪４に伝達し、レール３，…に沿って移動させるようになっている。
【００１３】
更に詳しくは、前記小幅移動棚Ａは、移動方向の奥行幅をＣＤ及びＭＤ等の小奥行幅物品を収納するのに適した幅に設定し、また標準幅移動棚Ｂは、移動方向の奥行幅を書籍やファイル等の物品を前後面から出し入れできる両面タイプの標準幅に設定している。図示した例では、小幅移動棚Ａの奥行幅を標準幅移動棚Ｂの奥行幅の半分程度に設定している。
【００１４】
前記小幅移動棚Ａは、前記台車１の上部にＣＤ及びＭＤ等の小奥行幅物品を前後面から出し入れできる両面タイプの収納部２を設けてあり、この収納部２は台車１に立起した複数の支柱９，…と天板１０及び支柱９，９間に多段に設けた複数の棚板１１，…で構成されている。
【００１５】
そして、前記台車１には、前記レール３，…に対応した位置に、移動方向に沿って前記駆動輪４とその前後に一対の従動輪５，５を設け、前記駆動輪４の回転軸１２は歯車伝達機構１３を介して操作ハンドル８で回転する動力軸１４に連動するとともに、各駆動輪４の回転軸１２は適宜な連結シャフト１５で互いに連結し、全て連動して回転するようにしている。また、本実施形態では、前記駆動輪４の直径は、当該小幅移動棚Ａの奥行幅の略半分に設定し、前記従動輪５の直径は駆動輪４の直径の略半分に設定している。
【００１６】
前記レール３は、図５及び図7に示すように、フランジレールとなっており、底板１６の上面中央部に沿って駆動輪４及び従動輪５，５が転動する四角柱状のレール部１７を設け、底板１６の両側縁を立ち上げて側面板１８Ａを形成するとともに、該側面板１８Ａの上縁を内方へ折曲して上面板１８Ｂを形成し、該上面板１８Ｂとレール部１７との間に所定の間隔を設けてレール部１７の両側部に凹溝１９，１９を形成した構造となっている。また、図示しないが、前記底板１６の裏面には該底板１６よりも幅の広い固定板を固着し、床面Ｆ内に埋設するようになっている。
【００１７】
前記台車１は、移動方向前後に配したベース杆２０，２０間であって両端部と中間の複数箇所に、互いに間隔を設けて複数対の連結部材２１，２１を移動方向に沿った向きに固定し、そのうち複数対の連結部材２１，２１は前記レール３，…の直上に位置設定し、両連結部材２１，２１の間に前記駆動輪４及び従動輪５，５を回転可能に設けている。尚、本実施形態では、２個の従動輪５，５を設けたが、駆動輪４を前後一側寄り位置に設け、反対側には一個の従動輪５を設けても良い。
【００１８】
次に、図5〜図7に基づいて、更に詳しく減速連動機構を説明する。先ず、本発明の特徴である歯車伝達機構１３を説明する。この歯車伝達機構１３は、最も前面パネル７側に位置する前記駆動輪４の回転軸１２の前端部に、保持部２３が円筒形の歯車ホルダー２２を固定するとともに、該歯車ホルダー２２の保持部２３にリング状の内歯歯車２４を取付ける一方、手動にて回転させる動力軸１４の後端部に前記内歯歯車２４に噛合する外歯歯車２５を形成し、動力軸１４を回転駆動して当該移動棚Ａを移動可能としている。ここで、前記内歯歯車２４と外歯歯車２５を噛合する構造としたので、両歯車２４，２５は同一回転方向になるとともに、内歯歯車２４の歯数は内歯歯車２４の歯数よりも充分に大きくなるので、動力軸１４の回転は減速されて、つまりトルクが増幅されて回転軸１２に伝達される。尚、前記内歯歯車２４は、歯車ホルダー２２に取付けたが、該歯車ホルダー２２の円筒部内面に直接的に内歯歯車を形成しても良く、また前記外歯歯車２５は動力軸１４の後端部に形成したが、該動力軸１４に平歯車を取付けても良いことは明らかである。
【００１９】
このような歯車伝達機構１３を採用することにより、動力軸１４と回転軸１２との軸間距離を最小にできるので、動力軸１４と回転軸１２を同一水平面上に配しても、移動方向におけるスペースが小さく且つ上下方向のスペースも小さくなり、そのため小幅移動棚Ａの台車１内にも余裕をもって内蔵することが可能となったのである。
【００２０】
また、前記動力軸１４の前端部に大径のスプロケット２６を固定するとともに、移動棚Ａの前面パネル７の中段に設けた操作ハンドル８の駆動軸２７に小径のスプロケット２８を固定し、前記両スプロケット２６，２８にチェーン２９を巻回している。また、前記両スプロケット２６，２８の中間位置には前記チェーン２９のテンションを調節するテンショナー３０を設けている。ここで、前記操作ハンドル８の駆動軸２７とテンショナー３０は、前面パネル７の内部であって、両支柱９，９間に設けた取付板３１に装着している。
【００２１】
従って、前記操作ハンドル８を回転すると、前記両スプロケット２６，２８とチェーン２９とによって、操作ハンドル８の回転方向と同一回転方向に前記駆動軸１４が回転し、更に前記歯車伝達機構１３を介して回転軸１２、駆動輪４が同一回転方向に回転し、もって移動棚Ａを同方向に移動するのである。つまり、前記操作ハンドル８を右回りに回転させると移動棚Ａは右方向に移動し、操作ハンドル８を左回りに回転させると移動棚Ａは左方向に移動するのである。
【００２２】
また、前記標準幅移動棚Ｂは、従来の構造と全く同様であるので簡単に説明する。この標準幅移動棚Ｂは、台車３２の移動方向前後に複数対の車輪３３，３３を設け、一方の車輪３３を駆動輪として前記同様な歯車伝達機構１３を含む減速連動機構によって、操作ハンドル８の回転力で車輪３３を回転駆動するのである。また、両車輪３３，３３は同じ直径であり、更に前記駆動輪４とも直径を一致させている。その他の構成は、前記小幅収納棚Ａの構成と同様であるので、その説明は省略する。
【００２３】
このように、前記小幅収納棚Ａは、その奥行幅内に設けた前記駆動輪４及び従動輪５，５によって自立可能であり、また通常の移動操作での比較的安定であるが、更に安定化させるために以下の構造を付加している。図１〜図３、図８及び図９に示すように、前記小幅収納棚Ａの上位に前記レール３と平行なガイドレール３４を天井Ｓに固定して設けるとともに、該小幅収納棚Ａの上端に該ガイドレール３４に沿って移動する移動体３５を設けて転倒防止手段を備えている。
【００２４】
前記ガイドレール３４は、断面略コ字形の一対のチャンネル部材３６，３６を互いの凹溝３７，３７を対向させ且つ間隔を設けて断面略Ｃ字形の連結部材３８で外嵌固定し、そして該連結部材２８の側面に取付けた断面略Ｌ字型の固定部材３９で天井Ｓに固定している。尚、前記連結部材３８は、チャンネル部材３６を長手方向に連結する部材を兼ねている。また、前記移動体３５は、前記ガイドレール３４内に収容可能な大きさのブロック体４０の両側面の少なくとも四隅部に転動輪４１，…を突設し、該転動輪３１，…がチャンネル部材３６の凹溝３７内の上下面を転動するようにしている。そして、前記ブロック体４０の下端から下方に垂下した連結杆４２を両チャンネル部材３６，３６間を通して前記小幅収納棚Ａの上端適所に固定している。また、前記移動体３５の横振れを防止するために、前記ブロック体４０の上部中央に図３に示すように、垂直な回転中心を有する規制輪４３を両チャンネル部材３６，３６の側面を転動するように設けることがより好ましい。
【００２５】
尚、前記標準幅移動棚Ｂには、前記移動体３５を設けても、設けなくても良いが、耐震性を向上させるためには、当該標準幅移動棚Ｂにも小幅収納棚Ａと同様に移動体２５を設けることが望ましい。
【００２６】
最後に、図示しないが、前記レール３のレール部１７に沿ってラックを設けるとともに、前記駆動輪４の一側面部に前記ラックに噛合するピニオンを一体的に形成することによって、駆動輪４の空回りを完全に規制し、その回転力を確実にレール部１７に伝達することができる。
【００２７】
本発明に係る減速伝達機構１３は、手動式移動棚装置に限らず、電動式移動棚装置においても駆動モータの動力軸と駆動輪の回転軸の減速伝達機構として採用することも可能である。それにより、駆動モータを完全に台車１内に格納するように構成できる。
【００２８】
【発明の効果】
以上にしてなる本発明の手動式移動棚装置は、前述の構成を採用したことにより以下の効果を奏するものである。
【００２９】
請求項１に係る手動式移動棚装置によれば、移動棚の下端で各レールに対応した位置に、駆動輪と単又は複数の従動輪を設け、該駆動輪の回転軸の前端部に保持部が円筒形の歯車ホルダーを固定するとともに、該歯車ホルダーの保持部にリング状の内歯歯車を取付ける一方、手動にて回転させる動力軸の後端部に前記内歯歯車に噛合する外歯歯車を形成し、動力軸を回転駆動して当該移動棚を移動可能としてなるので、手動にて回転させる動力軸の回転力を駆動輪の回転軸に伝達する減速連動機構として、動力軸と回転軸との軸間距離を最小にでき、つまり最小スペースで減速連動機構を構成することができ、しかも両軸を同一回転方向に回転させることができるので操作性も従来のものと同等になる。また、従来のスプロケットとチェーンとの連動機構に比べて、調整が少なく、またチェーンの伸びに対する考慮が不要であるので有利である。
【００３０】
請求項２によれば、前面パネルの中段に設けた操作ハンドルを回転させると、その回転力を増幅して動力軸に伝達することができるとともに、操作ハンドルの回転方向と同一回転方向に動力軸を回転させることができ、もって操作ハンドルの回転方向と同一回転方向に駆動輪を回転させることができる。
【００３１】
請求項３によれば、前後に間隔をおいた２個の従動輪の軸間距離を最大に設定することができるので、小幅移動棚の立起姿勢を比較的安定に維持することができるとともに、ビデオテープ、ＣＤ及びＭＤ等の小奥行幅物品を収納するのに適した奥行幅の小さい小幅移動棚に設ける駆動輪として、従来の標準幅移動棚に設けていたものと同じ駆動輪をそのまま用いても、比較的安定に姿勢を維持することができる。
【００３２】
請求項４によれば、移動棚の収納部における奥行幅を、ビデオテープ、ＣＤ及びＭＤ等の小奥行幅物品を収納するのに適した小幅としたので、小奥行幅物品の収容枚数を維持しながら移動棚の設置空間を狭くでき、あるいは同じ設置空間でもより多くの移動棚を設置できるので空間の利用効率を高めることができる。
【図面の簡単な説明】
【図１】本発明の手動式移動棚装置における小幅移動棚のみを示す全体斜視図である。
【図２】本発明に係る手動式移動棚装置の全体簡略正面図である。
【図３】同じく省略縦断面図である。
【図４】同じく省略横断面図である。
【図５】本発明の要部を示す省略斜視図である。
【図６】同じく要部の拡大横断面図である。
【図７】同じく要部拡大縦断面図である。
【図８】転倒防止手段を構成するガイドレールの斜視図である。
【図９】転倒防止手段を説明するための要部拡大縦断面図である。
【符号の説明】
Ａ  小幅移動棚            Ｂ  標準幅移動棚
Ｃ  固定棚                Ｆ  床面
Ｓ  天井
１  台車                  ２  収納部
３  レール                ４  駆動輪
５  従動輪                ６  通路
７  前面パネル            ８  操作ハンドル
９  支柱                  １０  天板
１１  棚板                １２  回転軸
１３  歯車伝達機構        １４  動力軸
１５  連結シャフト        １６  底板
１７  レール部            １８Ａ  側面板
１８Ｂ  上面板            １９  凹溝
２０  ベース杆            ２１  連結部材
２２  歯車ホルダー        ２３  保持部
２４  内歯歯車            ２５  外歯歯車
２６  スプロケット        ２７  駆動軸
２８  スプロケット        ２９  チェーン
３０  テンショナー        ３１  取付板
３２  台車                ３３  車輪
３４  ガイドレール        ３５  移動体
３６  チャンネル部材      ３７  凹溝
３８  連結部材            ３９  固定部材
４０  ブロック体          ４１  転動輪
４２  連結杆              ４３規制輪
【図１】
0004013470.tif 000002
【図２】
0004013470.tif 000003
【図３】
0004013470.tif 000004
【図４】
0004013470.tif 000005
【図５】
0004013470.tif 000006
【図６】
0004013470.tif 000007
【図７】
0004013470.tif 000008
【図８】
0004013470.tif 000009
【図９】
0004013470.tif 000010